(57)【要約】【課題】扉を開けようとする際に該扉が今から開くことを扉の裏側にいる人に知らせることができ、メンテナンス作業も容易にできるようにする。【解決手段】扉装置１００は、開ける人が対向する第１の面とその反対側の第２の面とを有する扉本体１０１と、扉本体に設けられたセンサユニット１５０とを備えている。センサユニットは、第１の面側に設けられた第１の人検知手段１５３と、第２の面側に設けられた第２の人検知手段１５３と、第１及び第２の人検知手段からの検知信号を判定する判定手段１５８と、第１の面側に設けられた第１の光源手段１５４と、第２の面側に設けられた第２の光源手段１５４と、第１及び第２の人検知手段、判定手段、並びに第１及び第２の光源手段にそれぞれ配線を介して電力を供給する電源手段１５７とを有している。判定手段は、第１及び第２の人検知手段の双方からの検知信号を受信した場合に少なくとも第２の光源手段を作動する。【選択図】図１
2019173309.tif 000002
【特許請求の範囲】
【請求項１】
人感センサが内蔵された扉装置であって、
開けようとする人が先に対向する第１の面と、該第１の面の反対側の第２の面とを有する扉本体と、
前記扉本体に設けられたセンサユニットとを備え、
前記センサユニットは、
前記第１の面側に設けられ、人の接近を検知する第１の人検知手段と、
前記第２の面側に設けられ、人の接近を検知する第２の人検知手段と、
前記第１の人検知手段及び第２の人検知手段からの検知信号を判定する判定手段と、
前記第１の面側に設けられた第１の光源手段と、
前記第２の面側に設けられた第２の光源手段と、
前記第１の人検知手段、第２の人検知手段、判定手段、第１の光源手段及び第２の光源手段にそれぞれ配線を介して電力を供給する電源手段とを有し、
前記判定手段は、前記第１の人検知手段と前記第２の人検知手段との双方からの検知信号を受信した場合に、少なくとも前記第２の光源手段を作動する、扉装置。
【請求項２】
請求項１に記載の扉装置において、
前記判定手段は、前記第１の人検知手段の検知信号を受信し、且つ、前記第２の人検知手段の検知信号を受信しなかった場合に、前記第１の光源手段を作動する、扉装置。
【請求項３】
請求項１又は２に記載の扉装置において、
前記センサユニットは、前記扉本体の戸先側小口又は上側小口から挿入されている、扉装置。
【請求項４】
請求項１〜３のいずれか１項に記載の扉装置において、
前記センサユニットは、前記第１の面側に設けられ、照度を検知する照度検知手段を有しており、
前記第１の光源手段は、前記照度検知手段からの検知信号により作動する、扉装置。
【請求項５】
請求項４に記載の扉装置において、
前記判定手段は、前記第１の人検知手段からの検知信号、前記第２の人検知手段からの検知信号、及び前記照度検知手段からの検知信号を判定する、扉装置。
【請求項６】
請求項５に記載の扉装置において、
前記判定手段は、前記第１の人検知手段及び第２の人検知手段からの検知信号を、前記照度検知手段からの検知信号よりも優先して判定する、扉装置。
【請求項７】
請求項１〜６のいずれか１項に記載の扉装置において、
前記判定手段は、前記第１の人検知手段からの検知信号を所定の時間を超えて検知しない場合は、前記第２の光源手段を作動する、扉装置。
【発明の詳細な説明】
【技術分野】
【０００１】
本発明は、扉装置に関し、特に、人感センサが内蔵された扉装置に関する。
【背景技術】
【０００２】
従来、暗闇のなかでもドアの開閉操作を容易に行うことができるように、センサを用いて光源手段を発光させる機能を持たせたドアが知られている（特許文献１を参照。）。特許文献１に記載の発明は、センサの周囲の照度に合わせて光源手段の点灯制御を行っている。これにより、ドアを開ける人のドアへの衝突を防ぎ、また、ドアの開閉の容易性を向上している。
【０００３】
従って、特許文献１に記載の発明は、ドアを開ける際のドアを開閉する人の裏側（戸押側の反対側）にいる他人のことは考えられていない。
【０００４】
また、特許文献２には、ドアに人感センサ及び発光体を設けて、ドアの開閉時における該ドアとその裏側の他人との衝突を回避する技術が開示されている。
【先行技術文献】
【特許文献】
【０００５】
【特許文献１】特開２００８−１６９６２３号公報
【特許文献２】実用新案登録第３１０５４３４号
【発明の概要】
【発明が解決しようとする課題】
【０００６】
しかしながら、特許文献２に記載の技術では、発光体が戸押側に設けられ、人感センサが戸押側の反対側（戸引側）に設けられており、戸引側の他人に当該ドアが開くことを知らせる構成ではない。また、各種センサ及び光源には電源が必要であり、これらのセンサ及び電源等をドアノブ又はドアハンドルに組み込むとなると、電源（例えば電池）を交換するメンテナンスや、さらには、配線の断線時におけるメンテナンスの作業は煩雑になるという問題がある。また、ドアノブ等に電子機器を組み込む構成では、扉の形態が開き戸に限定されてしまうという問題もある。
【０００７】
本発明は、前記従来の問題を解決し、扉を開けようとする際に、当該扉が今から開くことを扉の裏側にいる人に知らせることができると共に、メンテナンス作業を容易に行えるようにすることを目的とする。
【課題を解決するための手段】
【０００８】
前記の目的を達成するため、本発明は、扉装置において、扉を開けようとする際に、先に開けようとする側と反対側に人が対峙した場合に、この反対側の人に扉が開くことを光等で知らせる構成とする。
【０００９】
具体的に、本発明は、扉装置を対象とし、次のような解決手段を講じた。
【００１０】
すなわち、第１の発明は、人感センサが内蔵された扉装置であって、開けようとする人が先に対向する第１の面と該第１の面の反対側の第２の面とを有する扉本体と、扉本体に設けられたセンサユニットとを備えている。センサユニットは、第１の面側に設けられ、人の接近を検知する第１の人検知手段と、第２の面側に設けられ、人の接近を検知する第２の人検知手段と、第１の人検知手段及び第２の人検知手段からの検知信号を判定する判定手段と、第１の面側に設けられた第１の光源手段と、第２の面側に設けられた第２の光源手段と、第１の人検知手段、第２の人検知手段、判定手段、第１の光源手段及び第２の光源手段にそれぞれ配線を介して電力を供給する電源手段とを有している。判定手段は、第１の人検知手段と第２の人検知手段との双方からの検知信号を受信した場合に、少なくとも第２の光源手段を作動する。
【００１１】
これによれば、扉装置が採光部を持たない場合に、すなわち、扉の反対側にいる人を確認できない構成の場合に、開けようとする第１の面側の裏側の第２の面側にも人がいると、センサユニットに設けられた第２の光源手段が点灯するので、第２の面側にいる人に、該扉が今から開くことを知らせることができる。従って、扉が不意に開いた場合に、該扉の反対側にいる人との衝突を未然に防ぐことができる。その上、各検知手段、判定手段及び配線を含む電源手段を収容したセンサユニットを用いているため、配線工事が不要となると共に、使用による断線をも生じにくくなる。また、電源手段として電池を用いれば、電池交換のメンテナンス作業も容易となる。
【００１２】
第２の発明は、上記第１の発明において、判定手段は、第１の人検知手段の検知信号を受信し、且つ、第２の人検知手段の検知信号を受信しなかった場合に、第１の光源手段を作動してもよい。
【００１３】
これによれば、扉を開けようとする第１の面側でのみ人を感知し、その裏側の第２の面側で人を検知しなかった場合には、第１の面側の光源手段を作動させることにより、第１の面側の人はその裏側の安全を確認でき、安心して扉を開けることができる。
【００１４】
第３の発明は、上記第１又は第２の発明において、センサユニットは、扉本体の戸先側小口又は上側小口から挿入されていてもよい。
【００１５】
これによれば、扉本体の意匠性を損なうことなく、センサユニットの取り付け及び取り外しが容易となり、従って、メンテナンス性も向上する。
【００１６】
第４の発明は、上記第１〜第３の発明において、センサユニットは、第１の面側に設けられ、照度を検知する照度検知手段を有しており、第１の光源手段は、照度検知手段からの検知信号により作動してもよい。
【００１７】
これによれば、夜間等の第１の面側が暗い場合に、人が扉本体の第１の面側に接近した際に、第１の光源手段が点灯することにより、扉本体の位置が容易に認識できるので、該扉本体の開閉を容易に行うことができる。
【００１８】
第５の発明は、上記第４の発明において、判定手段は、第１の人検知手段からの検知信号、第２の人検知手段からの検知信号、及び照度検知手段からの検知信号を判定してもよい。
【００１９】
これによれば、第１の光源手段が、照度検知手段からの検知信号により作動している場合に、第２の人検知手段が人を検知した際には、第２の光源手段を点灯して、第２の面側にいる人に、開扉を知らせることができる。
【００２０】
従って、第６の発明は、上記第５の発明において、判定手段は、第１の人検知手段及び第２の人検知手段からの検知信号を、照度検知手段からの検知信号よりも優先して判定することが好ましい。
【００２１】
第７の発明は、上記第１〜第６の発明において、判定手段は、第１の人検知手段からの検知信号を所定の時間を超えて検知しない場合は、第２の光源手段を作動してもよい。
【００２２】
これによれば、扉本体の第２の面側に人を検知しない場合でも、第２の面側の第２の光源手段が点灯するため、例えば、屋内又は室内にいるはずの人の安否確認の必要性を外部に知らせることができる。
【発明の効果】
【００２３】
本発明によれば、扉を開けようとする際に、当該扉が今から開くことを扉の裏側にいる人に知らせることができると共に、メンテナンス作業が容易となる。
【図面の簡単な説明】
【００２４】
【図１】図１は本発明の一実施形態に係る扉装置の要部を示す分解斜視図である。
【図２】図２は本発明の一実施形態に係る扉装置におけるセンサユニットが扉本体に収容された状態の部分斜視図である。
【図３】図３は本発明の一実施形態に係る扉装置におけるセンサユニットを示す模式的な回路図である。
【図４】図４は本発明の一実施形態に係る扉装置における各種センサ及びＬＥＤの動作（扉の裏側が無人の場合）を模式的に説明する平面図である。
【図５】図５は本発明の一実施形態に係る扉装置における各種センサ及びＬＥＤの動作（扉の裏側が有人の場合）を模式的に説明する平面図である。
【図６】図６は本発明の一実施形態に係る扉装置における各種センサ及びＬＥＤの動作（暗がりで扉の裏側が無人の場合）を模式的に説明する平面図である。
【発明を実施するための形態】
【００２５】
（一実施形態）
本発明の一実施形態について図面を参照しながら説明する。
【００２６】
図１は一実施形態に係る人感センサが内蔵された扉装置における要部の分解斜視図である。図１に示すように、扉装置１００は、例えば、開き戸である扉本体１０１と、該扉本体１０１における戸押側及び戸引側の対称な位置に取り付けられ、戸先側小口１０１ａにラッチボルト１１２を有するレバーハンドル１１０と、扉本体１０１における戸先側小口１０１ａから挿入されるセンサユニット１５０とを備えている。なお、ここでは、扉本体１０１の戸押側が第１の面であり、戸引側が第２の面である。また、センサユニット１５０は、扉本体１０１の表面材と裏面材との間で、且つ、レバーハンドル１１０の上側部分に挿入されている。但し、扉本体１０１の仕様によっては、例えば、その意匠性を考慮して、センサユニット１５０を、戸先側小口１０１ａにおけるレバーハンドル１１０の下側部分に取り付けてもよい。さらには、センサユニット１５０は、扉本体１０１の戸先側小口１０１ａに代えて、上側小口１０１ｂから挿入してもよい。
【００２７】
センサユニット１５０は、蓋体１５１を有する筐体１５２の内部に収容される。蓋体１５１及び筐体１５２には、例えば、金属板又は硬質樹脂材を用いることができる。筐体１５２における戸押側及び戸引側の両側面には、該両側面で対向する位置に、人感センサ及び照度センサ（以下、人感／照度センサと呼ぶ）１５３、人検知発光ダイオード（ＬＥＤ：Light Emitting Diode）１５４並びに照明発光ダイオード（ＬＥＤ）１５５がそれぞれ設けられている（図３を参照。）。ここで、人検知ＬＥＤ１５４は、例えば、赤色ＬＥＤが点灯又は点滅する構成としてもよい。一方、照明ＬＥＤ１５５は、例えば、青色ＬＥＤが点灯（又は点滅）する構成としてもよい。人感／照度センサ１５３には、公知のセンサ類を用いることができる。例えば、人感センサは、赤外線、超音波又は可視光等を用いるセンサであってもよい。ここでは、赤外線を用いた人感センサが好適である。
【００２８】
扉本体１０１の表裏面材には、人感／照度センサ１５３と対応して、第１の窓部１０１ｃが設けられる。同様に、人検知ＬＥＤ１５４及び照明ＬＥＤ１５５と対応して、表裏面材に第２の窓部１０１ｄが設けられる。第１の窓部１０１ｃ及び第２の窓部１０１ｄには、例えば、白色の半透明樹脂材１２０、１２２がそれぞれ嵌め込まれる。なお、人感センサと照度センサとは、電子デバイスとしては別体ではあるが、これらが一体化されたＩＣパッケージを採用すれば、図１に示すように、コンパクトな窓部１０１ｃ及びそれに嵌まる半透明樹脂材１２０を用いることができる。
【００２９】
また、センサユニット１５０の蓋体１５１からは、戸先側小口１０１ａに、電源のオンオフ用のスイッチ１５６と、電源である電池１５７のキャップ１５７ａとが露出する。
【００３０】
図２に示すように、センサユニット１５０が扉本体１０１に挿入され、その蓋体１５１がねじ等により戸先側小口１０１ａに保持された状態では、例えば樹脂材からなる保護カバー１６０が、蓋体１５１を覆うように戸先側小口１０１ａに脱着可能に取り付けられる。
【００３１】
図３に本実施形態に係るセンサユニット１５０の模式的な回路構成を示す。図３において、図１に示す構成部材及び構成要素には同一の符号を付している。図３に示すように、センサユニット１５０は、戸押側用及び戸引側用としての２対分の、人検知ＬＥＤ１５４及び照明ＬＥＤ１５５と人感／照度センサ１５３とを有している。これらは、それぞれ配線１５９を介して、判定部１５８と電気的に接続されている。
【００３２】
なお、人検知ＬＥＤ１５４と照明ＬＥＤ１５５とを１つのＬＥＤで兼用する構成の場合は、人を検知する人感センサからの検知信号を照度センサからの検知信号よりも優先するように、判定部１５８を設けることが好ましい。従って、照明ＬＥＤ１５５を人検知ＬＥＤ１５４と兼用させる構成の場合は、先に照明ＬＥＤ１５５が点灯している場合でも、該照明ＬＥＤ１５５を消灯して、人検知ＬＥＤ１５４を点灯又は点滅させることができる。ここで、判定部１５８には、公知のマイクロコンピュータ（マイコン）チップを用いることができる。
【００３３】
なお、本実施形態においては、扉装置１００の扉本体１０１に開き戸を用いたが、開き戸に限られない。すなわち、本実施形態に係る扉装置１００は、各センサ類及び各光源手段をレバーハンドル１１０等のように、扉本体１０１から突き出た部材（部品）に設けていないため、引き戸装置にも適用が可能である。
【００３４】
また、本実施形態に係るセンサユニット１５０は、単独で、すなわちセンサユニット１５０自体で動作が可能であり、取り付け時に新たな配線処理等が不要である。このため、当初は、センサユニット１５０が設けられていない扉本体１０１に対しても、当該センサユニット１５０を後から取り付けることができる。
【００３５】
また、人感／照度センサ１５３が発信又は受信する信号を透過する半透明樹脂材１２０と、人検知ＬＥＤ１５４及び照明ＬＥＤ１５５からの各発光光を透過する半透明樹脂材１２２の平面形状は、いずれも長方形としているが、これに限られず、それぞれの機能を損なわない範囲で、色を含め変更することができ、それぞれに意匠性を持たせることができる。例えば、戸押側面と戸引側面とにおいて、半透明樹脂材１２０、１２２の色及び形状を変えることにより、戸押側と戸引側との各扉面にサイン性（識別性）を持たせることができる。
【００３６】
（周囲が明るい場合の人感／照度センサ及び各ＬＥＤの動作説明）
図１において、扉本体１０１における右側（手前）の面を戸押側とし、その裏側の面を戸引側とする。また、戸押側を室内（屋内）とし、戸引側を室外（屋外）としてもよい。
【００３７】
まず、図４に示すように、ある程度の明るさが確保されている室内を想定する。すなわち、この場合は、人感／照度センサ１５３において、照度がその検知閾値を上回っている。ここで、室内にいる人２００が扉本体１０１の戸押側に近づくと、センサユニット１５０における戸押側の人感／照度センサ１５３が人２００を検知する。その後、レバーハンドル１１０に手を差し出し、該レバーハンドル１１０を押下しながら、扉本体１０１を向こうに押そうとする。
【００３８】
このとき、図４に示すように、戸引側に人がいない場合は、該戸引側のセンサユニット１５０の人感／照度センサ１１３は人を検知しない。従って、戸引側のセンサユニット１５０の人検知ＬＥＤ１５４は点灯しない。なお、この場合に、一変形例として、戸押側のセンサユニット１５０に設けられた人検知ＬＥＤ１５４を点灯する設定としてもよい。さらに、この場合には、戸押側の人検知ＬＥＤ１５４における点灯色を緑色等に設定すると、なお好ましい。このようにすると、戸押側の人２００は安心して扉本体１０１を開けることができる。
【００３９】
また、他の変形例として、戸引側のセンサユニット１５０の人感／照度センサ１１３が人を検知していない場合であっても、戸引側の人検知ＬＥＤ１５４を、例えば赤色に点灯又は点滅させてもよい。このようにすると、戸引側の人感／照度センサ１５３が人を検知するよりも前に、すなわち、扉本体１０１から、より離れた位置で戸引側の人検知ＬＥＤ１５４が点灯又は点滅するため、戸押側の人２００は、より一層安心して扉本体１０１を開けることができる。但し、いずれの場合も、各種センサ１５３は、スイッチがオン状態である限り、常時起動している。
【００４０】
なお、上記の各変形例における戸押側又は戸引側の人検知ＬＥＤ１５４の消灯動作は、戸押側の人感／照度センサ１５３による人の検知信号がオフ状態となった場合に消灯する。
【００４１】
次に、図５に示すように、人２００が扉本体１０１の戸押側に近づき、扉本体１０１を押そうとする間に、センサユニット１５０の戸押側の反対側（戸引側）に他人２１０が近づいた場合には、センサユニット１５０の戸引側の人感／照度センサ１５３がこの他人２１０を検知する。
【００４２】
このとき、センサユニット１５０の判定部１５８は、戸押側の人感／照度センサ１５３及び戸引側の人感／照度センサ１５３の両方が、扉本体１０１の戸押し側にいる人２００と、戸引側に立った他人２１０とを同時に検知した場合に、センサユニット１５０の戸引側の人検知ＬＥＤ１５４を、例えば赤色に点灯又は点滅させる。これにより、扉本体１０１の戸引側に立った他人２１０に、該扉本体１０１が今から開くであろうことを知らせることができる。これにより、扉本体１０１の戸引側に立ち止まった他人２１０が、扉本体１０１が不意に開くことによる該扉本体１０１との衝突を未然に防ぐことができる。
【００４３】
なお、戸引側の人検知ＬＥＤ１５４が点灯又は点滅している際に、この戸引側の人検知ＬＥＤ１５４と同期して、戸押側の人検知ＬＥＤ１５４においても、人２００へのモニタ用として点灯又は点滅させてもよい。
【００４４】
また、戸引側の人検知ＬＥＤ１５４の消灯動作は、戸押側の人感／照度センサ１５３による検知信号と、戸引側の人感／照度センサ１５３による検知信号との論理積（ａｎｄ）が条件であるので、いずれか一方の検知信号がオフ状態となった場合に消灯する。
【００４５】
また、本実施形態においては、扉装置１００が引き戸であっても、人感センサ及び各ＬＥＤの動作は同等である。
【００４６】
（人感センサ及び各ＬＥＤの他の使用例）
本実施形態に係るセンサユニット１５０の他の使用例として、室内にいるはずの人の安否確認用のアラームとして室外又は屋外に知らせることができる例を説明する。
【００４７】
例えば、センサユニット１５０を構成する判定部１５８は、戸押側の人感／照度センサ１５３からの人の検知信号を所定の時間を超えて検知しない場合は、戸引側の人検知用ＬＥＤ１５４を点灯又は点滅させてもよい。この場合の所定の時間は、例えば１２時間から２４時間程度と、適当な値を設定することができる。この場合には、人検知ＬＥＤ１５４の点滅の間隔を通常よりも短くする等、外部に異常であることを示す点灯動作が好ましい。なお、上記の設定時間は、判定部１５８が戸押側（室内側）の人感／照度センサ１５３からの人の検知信号を受信しない時間を積算して保持しておけばよい。
【００４８】
（周囲が暗い場合の人感／照度センサ及び各ＬＥＤの動作説明）
次に、室内が暗い場合、具体的には、扉本体１０１のセンサユニット１５０における戸押側の周囲の照度が所定の設定値（閾値）を下回っている場合に、判定部１５８は、人感／照度センサ１５３の照度センサ部から、照度が閾値を下回ったことを検知する検知信号を受信している。この状態で、図６に示すように、室内にいる人２００が扉本体１０１の戸押側に近づくと、センサユニット１５０における戸押側の人感／照度センサ１５３の人感センサ部は、この人２００を検知する。これにより、判定部１５８では、人感／照度センサ１５３における人の検知と照度低下の検知とのａｎｄ条件が成立するため、照明ＬＥＤ１５５に対してオン信号を送信する。このオン信号により、戸押側（室内側）の照明ＬＥＤ１５５が青色に点灯する。
【００４９】
このように、室内が暗い場合に、該室内にいた人２００が扉本体１０１を開けようとした際には、該扉本体１０１の位置を容易に認識できるので、人２００の扉本体１０１への衝突を回避することができる。
【００５０】
また、センサユニット１５０に設けられた戸押側の人感／照度センサ１５３と戸引側の人感／照度センサ１５３とは、互いに独立して動作するように設定してもよい。この場合、例えば、戸引側（室外側）の照明ＬＥＤ１５５は、扉本体１０１の戸引側に人が接近した際に、その周囲の照度に応じて点灯又は消灯するようにしてもよい。
【００５１】
なお、人検知ＬＥＤ１５４と照明ＬＥＤ１５５とを兼用する構成の場合は、照明ＬＥＤ１５５の点灯時に、室内にいる人２００が扉本体１０１を開けようとし、且つ、該扉本体１０１の室外側に他人２１０が立ち止まった際に、すなわち、戸押側及び戸引側の双方の人感／照度センサ１５３がそれぞれ人２００、２１０を検知した際に、青色の照明ＬＥＤ１５５に優先して、赤色の人検知ＬＥＤ１５４をオン状態とすればよい。
【００５２】
また、本実施形態においては、扉装置１００が引き戸であっても、照度センサ及び各ＬＥＤの動作は同等である。
【産業上の利用可能性】
【００５３】
本発明に係る人感センサが内蔵された扉装置は、扉が今から開くことをその裏側にいる人に知らせることができ、その上、メンテナンス作業が容易であり、産業上の利用可能性が高い。
【符号の説明】
【００５４】
１００    扉装置
１０１    扉本体
１０１ａ  戸先側小口
１０１ｂ  上側小口
１０１ｃ  第１の窓部
１０１ｄ  第２の窓部
１１０    レバーハンドル
１２０、１２２  半透明樹脂材
１５０    センサユニット
１５１    蓋体
１５２    筐体
１５３    人感センサ（人検知手段）及び照度センサ（照度検知手段）（人感／照度センサ）
１５４    人検知発光ダイオード（人検知ＬＥＤ／光源手段）
１５５    照明発光ダイオード（照明ＬＥＤ／光源手段）
１５６    スイッチ
１５７    電池（電源手段）
１５７ａ  キャップ
１５８    判定部（判定手段）
１５９    配線
１６０    保護カバー
【図１】
2019173309.tif 000003
【図２】
2019173309.tif 000004
【図３】
2019173309.tif 000005
【図４】
2019173309.tif 000006
【図５】
2019173309.tif 000007
【図６】
2019173309.tif 000008
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
人感センサが内蔵された扉装置であって、
開けようとする人が先に対向する第１の面と、該第１の面の反対側の第２の面とを有する扉本体と、
前記扉本体に設けられたセンサユニットとを備え、
前記センサユニットは、
前記第１の面側に設けられ、人の接近を検知する人検知手段と、
前記人検知手段からの検知信号を判定する判定手段と、
前記第２の面側に設けられた光源手段と、
前記人検知手段、判定手段、及び光源手段にそれぞれ電力を供給する電源手段とを有し、
前記判定手段は、前記人検知手段からの検知信号を受信した場合に、前記光源手段のみを作動する、扉装置。
【請求項２】
請求項１に記載の扉装置において、
前記センサユニットは、前記扉本体の戸先側小口又は上側小口から挿入されている、扉装置。
【請求項３】
請求項１又は２に記載の扉装置において、
前記判定手段は、前記人検知手段からの検知信号を所定の時間を超えて検知しない場合は、前記光源手段を作動する、扉装置。